(57)【要約】【課題】加圧防排煙システムを備えた建物に設置され、システム構成の簡略化及び低廉化を実現することができる空調システム及びその構築方法を提供する。【解決手段】給気ライン２１を通じて特定域Ｄ１〜Ｄ３に外気ＯＡを加圧供給する加圧給気処理を実行する加圧防排煙システムＳ１を備えた建物１に設置され、平常時にエアバランス調整処理を実行する空調システムＳ２であって、エアバランス調整処理用の給気ファン３１及び給気ライン２１が加圧給気処理用と共通化され、エアバランス調整処理において、加圧防排煙システムＳ１の給気ファン３１を稼動させると共に遮断機構部２０ａを開放状態に維持して、加圧防排煙システムＳ１の給気ライン２１を通じて特定域Ｄ１〜Ｄ３に外気ＯＡを供給する。【選択図】図１
2018135666.tif 000002
【特許請求の範囲】
【請求項１】
屋内の特定域に臨む給気口に通じる給気ラインと、前記給気口を遮断し手動開放可能な遮断機構部と、外気を前記給気ラインに送出する給気ファンとを有して、火災時に前記給気ファンを稼動させると共に前記遮断機構部を開放させる形態で、前記給気ラインを通じて前記特定域に外気を加圧供給する加圧給気処理を実行する加圧防排煙システムを備えた建物に設置され、
平常時に屋内に外気を供給して当該屋内のエアバランスを調整するエアバランス調整処理を実行する空調システムであって、
前記エアバランス調整処理用の給気ファン及び給気ラインが、前記加圧給気処理用の給気ファン及び給気ラインと共通化され、
前記エアバランス調整処理において、前記加圧防排煙システムの給気ファンを稼動させると共に前記遮断機構部を開放状態に維持して、前記加圧防排煙システムの給気ラインを通じて前記特定域に外気を供給するように構成されている空調システム。
【請求項２】
前記建物において前記特定域が複数存在すると共に、前記給気ラインが当該複数の特定域の夫々の給気口に分岐接続され、
火災時に前記複数の特定域のうちの一部の加圧給気対象域に対して前記加圧給気処理を行う際に、前記加圧給気対象域以外の特定域である非加圧給気対象域の給気口に設けられた前記遮断機構部を自動で閉鎖させる自動遮断手段を備えた請求項１に記載の空調システム。
【請求項３】
前記給気ファンが、外気を空調処理して当該空調処理後の外気を前記給気ラインに導入する外調機に内蔵されたファンであり、
前記外調機が、前記エアバランス調整処理において前記給気ファンの送風量を所定の空調用送風量に制御する送風量制御を実行すると共に、火災時に当該送風量制御の実行を解除する請求項１又は２に記載の空調システム。
【請求項４】
屋内の特定域に臨む給気口に通じる給気ラインと、前記給気口を遮断し火災時に手動開放可能な遮断機構部と、外気を前記給気ラインに送出する給気ファンとを有して、火災時に前記給気ファンを稼動させると共に前記遮断機構部を開放させる形態で、前記給気ラインを通じて前記特定域に外気を供給する加圧給気処理を実行する加圧防排煙システムを備えた建物において、
平常時に屋内に外気を供給して当該屋内のエアバランスを調整するエアバランス調整処理を実行する空調システムを構築する空調システムの構築方法であって、
前記加圧防排煙システムの給気ファンを、外気を空調処理して当該空調処理後の外気を前記給気ラインに導入する外調機に置換して、当該外調機に内蔵されたファンを前記加圧防排煙システムの給気ファンとして機能させ、
前記エアバランス調整処理用の給気ファン及び給気ラインを、前記加圧給気処理用の給気ファン及び給気ラインと共通化させ、
前記空調システムを、前記エアバランス調整処理において、前記加圧防排煙システムの給気ファンを稼動させると共に前記遮断機構部を開放状態に維持して、前記加圧防排煙システムの給気ラインを通じて前記特定域に外気を供給するように構築する空調システムの構築方法。
【発明の詳細な説明】
【技術分野】
【０００１】
本発明は、屋内の特定域に臨む給気口に通じる給気ラインと、前記給気口を遮断し手動開放可能な遮断機構部と、外気を前記給気ラインに送出する給気ファンとを有して、火災時に前記給気ファンを稼動させると共に前記遮断機構部を開放させる形態で、前記給気ラインを通じて前記特定域に外気を加圧供給する加圧給気処理を実行する加圧防排煙システムを備えた建物に設置され、平常時に屋内に外気を供給して当該屋内のエアバランスを調整するエアバランス調整処理を実行する空調システム及びその構築方法に関する。
【背景技術】
【０００２】
建物には、火災時に消火活動が行われる特定域に外気を加圧供給する加圧給気処理を実行して、当該特定域に充満する煙を排出させて消火活動を容易にするための加圧防排煙システムと、火災時以外の平常時に屋内に外気を供給して当該屋内のエアバランスを調整するエアバランス調整処理を実行する空調システムとが設置される場合がある。
【０００３】
例えば、図３に示すように、加圧防排煙システムは、一般的に、各階の非常用エレベータホールや特別避難階段の附室などを特定域Ｄ１〜Ｄ３とした場合において、当該特定域Ｄ１〜Ｄ３に臨む給気口２０に通じる給気ライン２１と、給気口２０を遮断し手動開放可能な遮断機構部２０ａと、外気を給気ライン２１に送出する給気ファン５０とを有して構成されている。そして、火災時において、給気ファン５０を稼動させると共に、特定域のうちの一部の加圧対象域に臨む給気口２０の遮断機構部２０ａを開放させ、他の非加圧給気対象域に臨む給気口２０を遮断状態に維持する形態で、給気ライン２１を通じて給気口２０から加圧給気対象域に外気を加圧供給する加圧給気処理が実行される。
【０００４】
一方、同様の建物に設置される空調システムは、一般的に、外気を取り込んで給気口４１から屋内に導入する外調機４０と、屋内空気を排気口１１から取り込んで屋外に排出する排気装置１０とを、各階に設置して構成されている。そして、これら外調機４０による外気の導入量と排気装置１０による屋内空気の排出量との夫々を適宜設定する形態で、建物内の夫々の階におけるエアバランスを調整するエアバランス調整処理が実行される。
【０００５】
このような加圧防排煙システムと空調システムとを設置した建物において、従来、外調機の給気ファンを加圧防排煙システムの給気ファンとして利用するものが知られている（例えば、特許文献１を参照。）。
具体的に、特許文献１に記載の建物では、加圧防排煙システムの加圧給気処理により外気を加圧供給するための加圧給気用給気口と、空調システム用のエアバランス処理により外気を導入するためのエアバランス調整用給気口とが各別に設けられている。そして、平常時には、エアバランス調整用給気口のダンパが開放状態とされると共に、加圧給気用給気口の遮断機構部が遮断状態とされることで、外調機の給気ファンから送られた外気がエアバランス調整用給気口から屋内に導入される。一方、火災時は、エアバランス調整用給気口のダンパが遮断状態とされると共に、加圧給気用給気口の遮断機構部が開放状態とされることで、外調機の給気ファンから送られた外気が加圧給気用給気口から屋内に導入される。
【先行技術文献】
【特許文献】
【０００６】
【特許文献１】特開２００３−１８５２１１号公報
【発明の概要】
【発明が解決しようとする課題】
【０００７】
上記特許文献１に記載の建物では、加圧給気用給気口とエアバランス調整用給気口とを各別に設ける必要がある上に、エアバランス調整用給気口への外気の導入を停止可能なダンパやそのダンパの状態を切り替えるための専用の制御部が必要となって、システム構成が煩雑化及び高コスト化するなどの問題が生じる。
【０００８】
この実情に鑑み、本発明の主たる課題は、加圧防排煙システムを備えた建物に設置され、システム構成の簡略化及び低廉化を実現することができる空調システム及びその構築方法を提供する点にある。
【課題を解決するための手段】
【０００９】
本発明の第１特徴構成は、屋内の特定域に臨む給気口に通じる給気ラインと、前記給気口を遮断し手動開放可能な遮断機構部と、外気を前記給気ラインに送出する給気ファンとを有して、火災時に前記給気ファンを稼動させると共に前記遮断機構部を開放させる形態で、前記給気ラインを通じて前記特定域に外気を加圧供給する加圧給気処理を実行する加圧防排煙システムを備えた建物に設置され、
平常時に屋内に外気を供給して当該屋内のエアバランスを調整するエアバランス調整処理を実行する空調システムであって、
前記エアバランス調整処理用の給気ファン及び給気ラインが、前記加圧給気処理用の給気ファン及び給気ラインと共通化され、
前記エアバランス調整処理において、前記加圧防排煙システムの給気ファンを稼動させると共に前記遮断機構部を開放状態に維持して、前記加圧防排煙システムの給気ラインを通じて前記特定域に外気を供給するように構成されている点にある。
【００１０】
本構成によれば、加圧防排煙システムにより加圧給気処理を実行するために構築された給気口を含む給気ラインと給気ファンとを利用して、遮断機構部が開放状態に維持された給気口から屋内の特定域に外気を供給する形態で、当該特定域を含む屋内のエアバランスを調整するエアバランス調整処理を実行することができる。これにより、エアバランス調整処理を実行するための専用のエアバランス調整用給気口、並びにその給気口への外気の導入を停止可能なダンパやそのダンパの状態を切り替えるための制御部が不要となり、システム構成の簡略化及び低廉化を実現することができる。
【００１１】
また、火災時の加圧給気処理において稼動させる必要がある給気ファンが、平常時のエアバランス調整処理においても稼動するものとなるので、平常時から給気ファンの状態を把握して適切なメンテナンスを実行するように構成することができ、この構成により、火災時の加圧給気処理における給気ファンの稼動信頼性を確保することができる。
【００１２】
本発明の第２特徴構成は、前記建物において前記特定域が複数存在すると共に、前記給気ラインが当該複数の特定域の夫々の給気口に分岐接続され、
火災時に前記複数の特定域のうちの一部の加圧給気対象域に対して前記加圧給気処理を行う際に、前記加圧給気対象域以外の特定域である非加圧給気対象域の給気口に設けられた前記遮断機構部を自動で閉鎖させる自動遮断手段を備えた点にある。
【００１３】
本構成によれば、平常時のエアバランス調整処理において、給気口から複数の特定域に外気を供給するべく、それら複数の特定域の給気口の夫々に設けられた遮断機構部を開放状態に維持する場合であっても、火災時において一部の加圧給気対象域に対して加圧給気処理を行う際には、自動遮断手段が作動して、他の非加圧給気対象域の給気口の遮断機構部を自動で閉鎖させることができる。このことで、火災時において、非加圧給気対象域に対する加圧給気処理の実行を排除しながら、所望の加圧給気対象域に対して適切に加圧給気処理を実行することができる。
【００１４】
本発明の第３特徴構成は、前記給気ファンが、外気を空調処理して当該空調処理後の外気を前記給気ラインに導入する外調機に内蔵されたファンであり、
前記外調機が、前記エアバランス調整処理において前記給気ファンの送風量を所定の空調用送風量に制御する送風量制御を実行すると共に、火災時に当該送風量制御の実行を解除する点にある。
【００１５】
本構成によれば、給気ファンが外調機に内蔵されたファンであるので、平常時のエアバランス調整処理において、外調機で空調処理後の外気を特定域に供給し、当該特定域の空調を行うことができる。そして、外調機は、このエアバランス調整処理において、給気ファンの送風量を特定域の空調等に適切な比較的小さな空調用送風量に制御する送風量制御を実行するので、給気ファンの消費電力を節約することができる。そして、この外調機による送風量制御の実行が火災時において解除されるので、火災時の加圧給気処理において、外調機が内蔵する給気ファンを例えば定格運転させてその送風量を上記空調用送風量よりも十分に大きいものに設定することができ、特定域へ多くの外気を供給して当該特定域への煙の浸入を適切に防止することができる。
【００１６】
本発明の第４特徴構成は、屋内の特定域に臨む給気口に通じる給気ラインと、前記給気口を遮断し火災時に手動開放可能な遮断機構部と、外気を前記給気ラインに送出する給気ファンとを有して、火災時に前記給気ファンを稼動させると共に前記遮断機構部を開放させる形態で、前記給気ラインを通じて前記特定域に外気を供給する加圧給気処理を実行する加圧防排煙システムを備えた建物において、
平常時に屋内に外気を供給して当該屋内のエアバランスを調整するエアバランス調整処理を実行する空調システムを構築する空調システムの構築方法であって、
前記加圧防排煙システムの給気ファンを、外気を空調処理して当該空調処理後の外気を前記給気ラインに導入する外調機に置換して、当該外調機に内蔵されたファンを前記加圧防排煙システムの給気ファンとして機能させ、
前記エアバランス調整処理用の給気ファン及び給気ラインを、前記加圧給気処理用の給気ファン及び給気ラインと共通化させ、
前記空調システムを、前記エアバランス調整処理において、前記加圧防排煙システムの給気ファンを稼動させると共に前記遮断機構部を開放状態に維持して、前記加圧防排煙システムの給気ラインを通じて前記特定域に外気を供給するように構築する点にある。
【００１７】
本構成によれば、上記第１特徴構成と同様の作用効果を奏する空調システムを、加圧防排煙システムの給気ファンを外調機に置換するという合理的且つ簡単な方法で構築することができる。
【図面の簡単な説明】
【００１８】
【図１】加圧防排煙システムを備えた建物に構築された空調システムの概略構成並びに平常時における作動状態を示す図
【図２】加圧防排煙システムを備えた建物に構築された空調システムの概略構成並びに火災時における作動状態を示す図
【図３】本実施形態の空調システムを構築する前の建物の概略構成を示す図
【発明を実施するための形態】
【００１９】
本発明の実施形態について図面に基づいて説明する。
図１及び図２に示すように、建物１は、各階に、エレベータホールなどの空間Ａ１〜Ａ３と、それに隣接する廊下などの空間Ｂ１〜Ｂ３と、それに隣接するトイレや給湯室などの空間Ｃ１〜Ｃ３と、それに隣接する非常用エレベータホールや特別避難階段の附室などの空間Ｄ１〜Ｄ３が夫々設けられている。尚、各図面において、説明を簡単に行うために、建物１の１階〜３階の状態を示している。
【００２０】
そして、この建物１には、火災時に消火活動が行われる空間Ｄ１〜Ｄ３を特定域とし、当該特定域Ｄ１〜Ｄ３に外気ＯＡを加圧供給する加圧給気処理を実行して、当該特定域Ｄ１〜Ｄ３に充満する煙を排出させて消火活動を容易にするための加圧防排煙システムＳ１が設置されており、それに加えて、火災時以外の平常時に屋内に外気ＯＡを供給して当該屋内のエアバランスを調整するエアバランス調整処理を実行する空調システムＳ２が設置されている。
【００２１】
この建物１に設置されている加圧防排煙システムＳ１は、各階の特定域Ｄ１〜Ｄ３に臨む給気口２０に通じる給気ライン２１と、給気口２０を遮断し手動開放可能なダンパやシャッター等からなる遮断機構部２０ａと、外気ＯＡを給気ライン２１に送出する給気ファン３１とを有して構成されている。尚、この建物１では、複数の特定域Ｄ１〜Ｄ３が存在しているため、給気ライン２１は、複数の特定域Ｄ１〜Ｄ３の夫々の給気口２０に分岐接続されたものとして構成されている。
【００２２】
そして、このように構成された加圧防排煙システムＳ１は、図２に示すように、例えば建物１の２階で火災が発生し、その階の非常用エレベータホールなどの特定域Ｄ２で消火活動を行う場合において、当該特定域Ｄ２に設けられた排煙スイッチ（図示省略）の押圧操作等に連動して、火災が発生している階の特定域Ｄ２を加圧給気対象域Ｘとし、他の階の特定域Ｄ２を非加圧給気対象域Ｏとする形態で、加圧給気処理を実行する。加圧給気処理では、排気装置１０を適宜停止した上で、加圧給気対象域Ｘに臨む給気口２０の遮断機構部２０ａを開放状態に維持させると共に、非加圧給気対象域Ｏに臨む給気口２０の遮断機構部２０ａを遮断状態に維持した状態で、給気ファン３１を稼動させる。すると、給気ライン２１を通じて開放状態に維持された給気口２０から加圧給気対象域Ｘに外気ＯＡが加圧供給され、加圧給気対象域Ｘに充満する煙が排煙窓（図示省略）等を通じて排出され、更には加圧給気対象域Ｘへの煙の流入が防止されることになって、当該加圧給気対象域Ｘにおいて消火活動が容易に行えるようになる。尚、各図において、遮断機構部２０ａが遮断状態となる給気口２０を黒塗りで表し、遮断機構部２０ａが開放状態となる給気口２０を白抜きで表している。
【００２３】
一方、この建物１に設置されている空調システムＳ２は、各階の空間Ｄ１〜Ｄ３に臨む給気口２０に通じる給気ライン２１と、外気ＯＡを給気ライン２１に送出する外調機３０とを有して構成されている。更に、各階の空間Ｃ１〜Ｃ３の夫々には、排気装置１０が適宜設置されており、この排気装置１０は、各階の空間Ｃ１〜Ｃ３に臨む排気口１１から屋内空気を取り込んで排気ＥＡとして排気ライン１２を通じて屋外に排出するように構成されている。
また、外調機３０は、熱交換器３２及び給気ファン３１を内蔵しており、屋外に臨む外気取込口３３から外気ＯＡを取り込み、取り込んだ外気ＯＡを熱交換器３２により適宜冷却又は加熱等の空調処理し、当該空調処理された外気ＯＡを給気ファン３１により給気ライン２１に送出するように構成されている。
【００２４】
そして、このように構成された空調システムＳ２は、図１に示すように、火災時以外の平常時において、外調機４０による外気ＯＡの導入量を適宜設定すると共に、各階に設置された排気装置１０による屋内空気の排出量を適宜設定する形態で、建物１内の夫々の階におけるエアバランスを調整するエアバランス調整処理が実行されることになる。
【００２５】
以上が、建物１に設置された加圧防排煙システムＳ１及び空調システムＳ２の基本構成であるが、本実施形態では、このように加圧防排煙システムＳ１を備えた建物１に設置される空調システムＳ２おいて、システム構成の簡略化及び低廉化が実現されており、その詳細について、以下に説明を加える。
【００２６】
この建物１では、空調システムＳ２によるエアバランス調整処理用の給気ファン３１及び給気口２０を含む給気ライン２１が、加圧防排煙システムＳ１における加圧給気処理用の給気ファン３１及び給気口２０を含む給気ライン２１と共通化されている。即ち、加圧防排煙システムＳ１による加圧給気処理において外気ＯＡの加圧給気対象となる各階の非常用エレベータホールなどの特定域Ｄ１〜Ｄ３が、空調システムＳ２によるエアバランス調整処理における外気ＯＡの供給先となる空間Ｄ１〜Ｄ３と同じであり、更には、空調システムＳ２の外調機３０が備える給気ファン３１並びに給気口２０を含む給気ライン２１が、加圧防排煙システムＳ１の給気ファン３１並びに給気口２０を含む給気ライン２１としても利用されている。
【００２７】
そして、空調システムＳ２は、エアバランス調整処理において、加圧防排煙システムＳ１でも利用される給気ファン３１を稼動させると共に、各階の特定域Ｄ１〜Ｄ３の給気口２０の遮断機構部２０ａを開放状態に維持して、加圧防排煙システムＳ１でも利用される給気ライン２１を通じて特定域Ｄ１〜Ｄ３に外気ＯＡを供給するように構成されている。この構成により、エアバランス調整処理を実行するための専用の構成が不要となり、システム構成の簡略化及び低廉化が実現されることになる。
更に、火災時の加圧給気処理において稼動させる必要がある給気ファン３１が、平常時のエアバランス調整処理においても稼動することになるので、平常時から給気ファン３１の状態を把握して適切なメンテナンスを実行するように構成することができる。これにより、火災時の加圧給気処理における給気ファン３１の稼動信頼性が確保されることになる。
【００２８】
更に、各階に設けられた複数の給気口２０の夫々の遮断機構部２０ａを開放状態から遮断状態へ自動切り替え可能な自動遮断手段６０が設けられている。この自動遮断手段６０は、図２に示すように、火災時に加圧給気対象域Ｘに対して加圧給気処理を行う際に、エアバランス調整処理の実行時に開放状態であった各遮断機構部２０ａのうち、加圧給気対象域Ｘ以外の非加圧給気対象域Ｏに臨む給気口２０の遮断機構部２０ａのみを自動で閉鎖させ、加圧給気対象域Ｘに臨む給気口２０の遮断機構部２０ａを開放状態に維持するように構成されている。この構成により、火災時において、非加圧給気対象域Ｏに対する加圧給気処理の実行が排除されながら、所望の加圧給気対象域Ｘに対して適切に加圧給気処理が実行されることになる。尚、自動遮断手段６０は、火災検知時に一旦全ての遮断機構部２０ａを遮断状態に切り替えるように構成しても構わない。そして、加圧給気処理を行うにあたり全ての遮断機構部２０ａが遮断状態とされている場合には、排煙スイッチの押圧操作に連動して加圧給気対象域Ｘに臨む給気口２０の遮断機構部２０ａが開放状態に切り替えられ、一方、非加圧給気対象域Ｏに臨む給気口２０の遮断機構部２０ａが遮断状態に維持されることになる。
【００２９】
また、外調機３０は、平常時のエアバランス調整処理において、給気ファン３１の送風量を、特定域Ｄ１〜Ｄ３の空調等に適切な比較的小さな空調用送風量に制御する送風量制御を実行する。一方、外調機３０は、火災時の加圧給気処理において、加圧給気対象域Ｘに設けられた排煙スイッチの押圧操作等に連動して上記送風量制御を解除し、給気ファン３１を例えば定格運転させて、その送風量を、上記空調用送風量よりも十分に大きい送風量に設定する。すると、加圧給気処理において、加圧給気対象域Ｘへ多くの外気ＯＡが加圧供給されることになって、当該加圧給気対象域Ｘへの煙の浸入が適切に防止されることになる。
【００３０】
以上が、システム構成の簡略化及び低廉化を実現した空調システムＳ２の構成であるが、このような空調システムＳ２は、建物１に対して加圧防排煙システムＳ１と合わせて新たに構築することもできるが、既に加圧防排煙システムＳ１を設置した既存の建物１において合理的且つ簡単な方法で構築することができ、その構築方法の詳細について、以下に説明を加える。
【００３１】
具体的に、図３には、本実施形態の空調システムＳ２（図１，２参照）を構築する前の建物１の状態が示されている。この図３に示す建物１に設置される加圧防排煙システムＳ１’は、各階の特定域Ｄ１〜Ｄ３に臨む給気口２０に通じる給気ライン２１と、給気口２０を遮断し手動開放可能な遮断機構部２０ａと、外気を給気ライン２１に送出する給気ファン５０とを有して構成されている。
一方、この建物１に設置される空調システムＳ２’は、上記加圧防排煙システムＳ１’とは別の外調機４０と排気装置１０とを各階に設置して構成されている。即ち、各階に設置された外調機４０は、上記給気ライン２１とは別の給気ライン４２を通じて取り込んだ外気を適宜空調処理し、当該空調処理された外気を、各階のエレベータホールなどの空間Ａ１〜Ａ３に臨む給気口４１から当該空間Ａ１〜Ａ３に供給するように構成されている。
【００３２】
そして、図３に示すような空調システムＳ２’を、図１及び図２に示すような空調システムＳ２に改修する形態で、当該空調システムＳ２を構築する場合には、加圧防排煙システムＳ１’の給気ファン５０（図３参照）を上述した外調機３０（図１及び図２参照）に置換して、当該外調機３０に内蔵されたファン３１を加圧防排煙システムＳ１の給気ファン３１として機能させる。そして、改修後の空調システムＳ２のエアバランス調整処理用の給気ファン３１及び給気ライン２１を、改修後の加圧防排煙システムＳ１の加圧給気処理用の給気ファン３１及び給気ライン２１と共通化させ、更には、夫々の給気口２０の遮断機構部２０ａを開放状態から遮断状態へ自動切り替え可能な自動遮断手段６０を適宜設置する。すると、上述したように、改修後の空調システムＳ２は、エアバランス調整処理において、加圧防排煙システムＳ１の給気ファン３１を稼動させると共に遮断機構部２０ａを開放状態に維持して、加圧防排煙システムＳ１の給気ライン２１を通じて特定域Ｄ１〜Ｄ３に外気ＯＡを供給するものとなる。
尚、このように空調システムＳ２を構築した場合には、従来あった各階の外調機４０（図３参照。）は適宜撤去されることになる。
【００３３】
〔別実施形態〕
（１）上記実施形態では、空調システムＳ２が、外気ＯＡを屋内に供給する外調機３０に加えて、屋内空気を屋外へ排出する排気装置１０を備えた形態を説明したが、当該排気装置１０は適宜改変又は省略しても構わない。
【００３４】
（２）上記実施形態では、加圧防排煙システムＳ１において加圧給気処理による外気ＯＡの加圧給気対象域Ｘとなる特定域Ｄ１〜Ｄ３が複数存在する場合について説明したが、当該特定域は単数であっても構わない。その場合には、非加圧給気対象域Ｏの給気口２０に設けられた遮断機構部２０ａを自動で閉鎖させる自動遮断手段６０については省略することができる。
【００３５】
（３）上記実施形態では、空調システムＳ２において、給気ファン３１を外調機３０に内蔵されたものとし、屋内へ外気ＯＡを供給するエアバランス調整処理において、当該供給される外気ＯＡを外調機３０が備える熱交換器３２で空調処理するように構成したが、外調機３０の代わりに、単体の給気ファン３１を設け、エアバランス調整処理において外気ＯＡを空調処理することなく屋内へ供給するように構成しても構わない。
【符号の説明】
【００３６】
１          建物
２０        給気口
２０ａ      遮断機構部
２１        給気ライン
３０        外調機
３１        給気ファン
６０        自動遮断手段
Ｄ１〜Ｄ３  特定域
Ｘ          加圧給気対象域
Ｏ          非加圧給気対象域
ＯＡ        外気
ＥＡ        排気
Ｓ１        加圧防排煙システム
Ｓ２        空調システム
【図１】
2018135666.tif 000003
【図２】
2018135666.tif 000004
【図３】
2018135666.tif 000005